(57)【要約】【課題】ヘッドホンまたはイヤホンの周波数帯域毎の出力レベルがばらつくのを抑制することが可能な音響装置を提供する。【解決手段】この音響装置３００では、音響装置側制御部３１は、低周波数帯域の出力レベルＢ（高周波数帯域の出力レベルＣ）が基準となる周波数帯域の基準出力レベルＡに対して±１ｄＢの範囲内ではないと判断した場合には、低周波数帯域の出力レベルＢ（高周波数帯域の出力レベルＣ）が基準となる周波数帯域の基準出力レベルＡに対して±１ｄＢの範囲内になるように低周波数帯域の出力レベルＢ（高周波数帯域の出力レベルＣ）を調整するようにＤＳＰ３３を制御するように構成されている。【選択図】図３
2012186745.tif 000002
【特許請求の範囲】
【請求項１】
ヘッドホンまたはイヤホンに音声信号を出力するとともに、周波数帯域毎に音声信号の出力レベルを調整可能な音声信号出力部と、
前記周波数帯域のうちの基準となる第１周波数帯域における前記ヘッドホンまたは前記イヤホンの第１出力レベル、および、前記周波数帯域のうちの前記基準となる第１周波数帯域とは別の第２周波数帯域における前記ヘッドホンまたは前記イヤホンの第２出力レベルを測定可能な出力レベル測定部と、
前記出力レベル測定部により測定された前記第２出力レベルが前記第１出力レベルに対して所定の範囲内であるか否かを判断する制御部とを備え、
前記制御部は、前記第２周波数帯域の前記第２出力レベルが前記第１周波数帯域の前記第１出力レベルに対して所定の範囲内ではないと判断した場合には、前記第２周波数帯域の前記第２出力レベルが前記第１周波数帯域の前記第１出力レベルに対して所定の範囲内になるように前記第２周波数帯域の前記第２出力レベルを調整するように前記音声信号出力部を制御するように構成されている、音響装置。
【請求項２】
前記制御部は、前記第２周波数帯域の前記第２出力レベルが前記第１周波数帯域の前記第１出力レベルに対して所定の範囲内ではないと判断した場合には、前記第２出力レベルが前記第１出力レベルに対して所定の範囲内になるように前記第２周波数帯域の前記第２出力レベルを調整するように前記音声信号出力部を制御した後に、調整後の前記第２周波数帯域の前記第２出力レベルが前記第１出力レベルに対して所定の範囲内であるか否かを再度判断するように構成されている、請求項１に記載の音響装置。
【請求項３】
前記第２周波数帯域は、低周波数帯域および高周波数帯域を含み、
前記制御部は、前記低周波数帯域における前記ヘッドホンまたは前記イヤホンの低周波数帯域出力レベル、および、前記高周波数帯域における前記ヘッドホンまたは前記イヤホンの高周波数帯域出力レベルを前記出力レベル測定部に測定させる制御を行うとともに、前記出力レベル測定部により測定された前記低周波数帯域出力レベルおよび前記高周波数帯域出力レベルのうちの少なくとも一方が前記第１出力レベルに対して所定の範囲内ではないと判断した場合には、前記低周波数帯域出力レベルおよび前記高周波数帯域出力レベルのうちの少なくとも一方が前記第１出力レベルに対して所定の範囲内になるように前記低周波数帯域出力レベルおよび前記高周波数帯域出力レベルのうちの少なくとも一方を調整するように前記音声信号出力部を制御するように構成されている、請求項１または２に記載の音響装置。
【請求項４】
前記ヘッドホンまたは前記イヤホンが装置本体に接続されたか否かを検知可能な検知部をさらに備え、
前記制御部は、前記ヘッドホンまたは前記イヤホンが前記装置本体に接続されたことが前記検知部により検知された場合には、前記出力レベル測定部に前記第１出力レベルおよび前記第２出力レベルの測定を開始させるように構成されている、請求項１〜３のいずれか１項に記載の音響装置。
【請求項５】
前記第１出力レベルおよび前記第２出力レベルを測定した後に、前記第１出力レベルおよび前記第２出力レベルを記憶する記憶部をさらに備え、
前記制御部は、前記記憶部に記憶された前記第１出力レベルと前記第２出力レベルとを比較することにより、前記第２出力レベルが前記第１出力レベルに対して所定の範囲内であるか否かを判断するように構成されている、請求項１〜４のいずれか１項に記載の音響装置。
【請求項６】
テレビジョン装置本体と、
前記テレビジョン装置本体に設けられ、ヘッドホンまたはイヤホンの出力レベルを調整可能な音響装置とを備え、
前記音響装置は、前記ヘッドホンまたは前記イヤホンに音声信号を出力するとともに、周波数帯域毎に音声信号の出力レベルを調整可能な音声信号出力部と、
前記周波数帯域のうちの基準となる第１周波数帯域における前記ヘッドホンまたは前記イヤホンの第１出力レベル、および、前記周波数帯域のうちの前記基準となる第１周波数帯域とは別の第２周波数帯域における前記ヘッドホンまたは前記イヤホンの第２出力レベルを測定可能な出力レベル測定部と、
前記出力レベル測定部により測定された前記第２出力レベルが前記第１出力レベルに対して所定の範囲内であるか否かを判断する制御部とを含み、
前記制御部は、前記第２出力レベルが前記第１出力レベルに対して所定の範囲内ではないと判断した場合には、前記第２周波数帯域の前記第２出力レベルが前記第１周波数帯域の前記第１出力レベルに対して所定の範囲内になるように前記第２周波数帯域の前記第２出力レベルを調整するように前記音声信号出力部を制御するように構成されている、テレビジョン装置。
【発明の詳細な説明】
【技術分野】
【０００１】
この発明は、音響装置およびテレビジョン装置に関し、特に、ヘッドホンまたはイヤホンの周波数帯域毎の出力レベルを調整可能な音響装置およびテレビジョン装置に関する。
【背景技術】
【０００２】
従来、ヘッドホンまたはイヤホンの周波数帯域毎の出力レベルを調整可能な音響装置が知られている（たとえば、特許文献１参照）。
【０００３】
上記特許文献１には、ミュージックプレーヤと、ミュージックプレーヤに接続されたヘッドホンと、ミュージックプレーヤ全体の制御を行う処理部とを備える再生装置（音響装置）が開示されている。この再生装置では、処理部は、周波数帯域毎に出力される音声信号を所定の音量の音波に変換してヘッドホンに出力するとともに、ヘッドホンに出力された音波をユーザが聴取可能か否かについて調査を行うように構成されている。また、処理部は、調査結果に基づいてユーザが聴取できなかった音波に対応する周波数帯域の音声信号のゲイン（出力電圧）を上げるなどの処理を行うことによって、ヘッドホンの周波数帯域毎の出力レベル（周波数特性）がユーザにとって最適になるように調整されるように構成されている。
【先行技術文献】
【特許文献】
【０００４】
【特許文献１】特開２００９−６０２０９号公報
【発明の概要】
【発明が解決しようとする課題】
【０００５】
しかしながら、上記特許文献１に記載の再生装置では、ヘッドホンに出力される音波をユーザが聴取可能か否かの調査結果に基づいて周波数帯域毎の出力レベル（周波数特性）が調整されるため、ヘッドホン（イヤホン）の周波数帯域毎の出力レベルがばらつくという問題点があると考えられる。
【０００６】
この発明は、上記のような課題を解決するためになされたものであり、この発明の１つの目的は、ヘッドホンまたはイヤホンの周波数帯域毎の出力レベルがばらつくのを抑制することが可能な音響装置およびテレビジョン装置を提供することである。
【課題を解決するための手段および発明の効果】
【０００７】
この発明の第１の局面による音響装置は、ヘッドホンまたはイヤホンに音声信号を出力するとともに、周波数帯域毎に音声信号の出力レベルを調整可能な音声信号出力部と、周波数帯域のうちの基準となる第１周波数帯域におけるヘッドホンまたはイヤホンの第１出力レベル、および、周波数帯域のうちの基準となる第１周波数帯域とは別の第２周波数帯域におけるヘッドホンまたはイヤホンの第２出力レベルを測定可能な出力レベル測定部と、出力レベル測定部により測定された第２出力レベルが第１出力レベルに対して所定の範囲内であるか否かを判断する制御部とを備え、制御部は、第２出力レベルが第１出力レベルに対して所定の範囲内ではないと判断した場合には、第２周波数帯域の第２出力レベルが第１周波数帯域の第１出力レベルに対して所定の範囲内になるように第２周波数帯域の第２出力レベルを調整するように音声信号出力部を制御するように構成されている。
【０００８】
この第１の局面による音響装置では、上記のように、第２周波数帯域の第２出力レベルが第１周波数帯域の第１出力レベルに対して所定の範囲内ではないと判断した場合に、第２周波数帯域の第２出力レベルが第１周波数帯域の第１出力レベルに対して所定の範囲内になるように第２周波数帯域の第２出力レベルを調整するように音声信号出力部を制御する制御部を備えることによって、第２周波数帯域の第２出力レベルが第１周波数帯域の第１出力レベルに対して所定の範囲内になるように調整されるので、たとえば、ヘッドホンに出力される音波をユーザが聴取可能か否かに基づいてヘッドホンまたはイヤホンの周波数帯域毎の出力レベル（周波数特性）が調整される場合と異なり、ヘッドホンまたはイヤホンの周波数帯域毎の出力レベルがばらつくのを抑制することができる。
【０００９】
上記第１の局面による音響装置において、好ましくは、制御部は、第２周波数帯域の第２出力レベルが第１周波数帯域の第１出力レベルに対して所定の範囲内ではないと判断した場合には、第２出力レベルが第１出力レベルに対して所定の範囲内になるように第２周波数帯域の第２出力レベルを調整するように音声信号出力部を制御した後に、調整後の第２周波数帯域の第２出力レベルが第１出力レベルに対して所定の範囲内であるか否かを再度判断するように構成されている。このように構成すれば、調整後の第２出力レベルが第１出力レベルに対して所定の範囲内であるか否かを再度判断（フィードバック）する分、ヘッドホンまたはイヤホンの周波数帯域毎の出力レベルがばらつくのをより抑制することができる。
【００１０】
上記第１の局面による音響装置において、好ましくは、第２周波数帯域は、低周波数帯域および高周波数帯域を含み、制御部は、低周波数帯域におけるヘッドホンまたはイヤホンの低周波数帯域出力レベル、および、高周波数帯域におけるヘッドホンまたはイヤホンの高周波数帯域出力レベルを出力レベル測定部に測定させる制御を行うとともに、出力レベル測定部により測定された低周波数帯域出力レベルおよび高周波数帯域出力レベルのうちの少なくとも一方が第１出力レベルに対して所定の範囲内ではないと判断した場合には、低周波数帯域出力レベルおよび高周波数帯域出力レベルのうちの少なくとも一方が第１出力レベルに対して所定の範囲内になるように低周波数帯域出力レベルおよび高周波数帯域出力レベルのうちの少なくとも一方を調整するように音声信号出力部を制御するように構成されている。このように構成すれば、低周波数帯域における低周波数帯域出力レベルおよび高周波数帯域における高周波数帯域出力レベルが第１周波数帯域の第１出力レベルに対して所定の範囲内になるように調整されるので、低周波数帯域出力レベル、高周波数帯域出力レベルおよび第１出力レベルにおけるヘッドホンまたはイヤホンの出力レベルがばらつくのを抑制することができる。
【００１１】
上記第１の局面による音響装置において、好ましくは、ヘッドホンまたはイヤホンが装置本体に接続されたか否かを検知可能な検知部をさらに備え、制御部は、ヘッドホンまたはイヤホンが装置本体に接続されたことが検知部により検知された場合には、出力レベル測定部に第１出力レベルおよび第２出力レベルの測定を開始させるように構成されている。このように構成すれば、ユーザによりヘッドホンまたはイヤホンが装置本体に接続されるだけで、自動的に、第１出力レベルおよび第２出力レベルの測定を開始することができる。
【００１２】
上記第１の局面による音響装置において、好ましくは、第１出力レベルおよび第２出力レベルを測定した後に、第１出力レベルおよび第２出力レベルを記憶する記憶部をさらに備え、制御部は、記憶部に記憶された第１出力レベルと第２出力レベルとを比較することにより、第２出力レベルが第１出力レベルに対して所定の範囲内であるか否かを判断するように構成されている。このように構成すれば、記憶部に記憶された第１出力レベルと第２出力レベルとに基づいて、容易に、第２出力レベルを第１出力レベルに対して所定の範囲内になるように調整することができる。
【００１３】
この発明の第２の局面によるテレビジョン装置は、テレビジョン装置本体と、テレビジョン装置本体に設けられ、ヘッドホンまたはイヤホンの出力レベルを調整可能な音響装置とを備え、音響装置は、ヘッドホンまたはイヤホンに音声信号を出力するとともに、周波数帯域毎に音声信号の出力レベルを調整可能な音声信号出力部と、周波数帯域のうちの基準となる第１周波数帯域におけるヘッドホンまたはイヤホンの第１出力レベル、および、周波数帯域のうちの基準となる第１周波数帯域とは別の第２周波数帯域におけるヘッドホンまたはイヤホンの第２出力レベルを測定可能な出力レベル測定部と、出力レベル測定部により測定された第２出力レベルが第１出力レベルに対して所定の範囲内であるか否かを判断する制御部とを含み、制御部は、第２出力レベルが第１出力レベルに対して所定の範囲内ではないと判断した場合には、第２周波数帯域の第２出力レベルが第１周波数帯域の第１出力レベルに対して所定の範囲内になるように第２周波数帯域の第２出力レベルを調整するように音声信号出力部を制御するように構成されている。
【００１４】
この第２の局面によるテレビジョン装置では、上記のように、第２出力レベルが第１出力レベルに対して所定の範囲内ではないと判断した場合には、第２周波数帯域の第２出力レベルが第１周波数帯域の第１出力レベルに対して所定の範囲内になるように第２周波数帯域の第２出力レベルを調整するように音声信号出力部を制御部が制御することによって、第２周波数帯域の第２出力レベルが第１周波数帯域の第１出力レベルに対して所定の範囲内になるように調整されるので、たとえば、ヘッドホンに出力される音波をユーザが聴取可能か否かに基づいて周波数帯域毎に音声信号の出力レベル（周波数特性）が調整される場合と異なり、ヘッドホンまたはイヤホンの周波数帯域毎の出力レベルがばらつくのを抑制することができる。その結果、ヘッドホンまたはイヤホンの周波数帯域毎の出力レベルがばらつくのを抑制することが可能な音響装置を備えるテレビジョン装置を提供することができる。
【図面の簡単な説明】
【００１５】
【図１】本発明の一実施形態による音響装置を備えるテレビジョン装置の概略図である。
【図２】本発明の一実施形態による音響装置を備えるテレビジョン装置のブロック図である。
【図３】本発明の一実施形態による音響装置の基準周波数帯域における基準出力レベルＡおよび低周波数帯域における出力レベルＢを測定する制御処理フローを示したフローチャートである。
【図４】本発明の一実施形態による音響装置の高周波数帯域における出力レベルＣを測定する制御処理フローを示したフローチャートである。
【図５】本発明の一実施形態による出力レベルＢおよび出力レベルＣの調整前の出力レベルを示す図である。
【図６】本発明の一実施形態による出力レベルＢおよび出力レベルＣの調整後の出力レベルを示す図である。
【図７】本発明の一実施形態の変形例による出力レベルＢおよび出力レベルＣの調整後の出力レベルを示す図である。
【発明を実施するための形態】
【００１６】
以下、本発明を具体化した実施形態を図面に基づいて説明する。
【００１７】
図１を参照して、本発明の一実施形態による音響装置３００を備えるテレビジョン装置１００の構成の概略について説明する。
【００１８】
本発明の一実施形態によるテレビジョン装置１００は、テレビジョン装置本体１０を含む。テレビジョン装置本体１０は、表示部１１と、表示部１１の両側方に設けられたスピーカ部１２とを備えている。また、テレビジョン装置本体１０は、支持部１３を介して台座部１４に取り付けられている。
【００１９】
また、テレビジョン装置本体１０内には、ヘッドホンジャック３０を備える音響装置３００が内蔵されている。このヘッドホンジャック３０には、ヘッドホン２００のプラグ２０が接続可能に構成されている。また、ヘッドホン２００のプラグ２０が音響装置３００のヘッドホンジャック３０に接続されることによって、ユーザは、テレビジョン装置１００から出力される音声などをヘッドホン２００で聴くことが可能となる。
【００２０】
次に、図２および図５を参照して、音響装置３００を備えるテレビジョン装置１００の詳細な構成について説明する。
【００２１】
また、テレビジョン装置１００は、テレビジョン装置１００全体の制御を司るテレビジョン装置側制御部１５を備えている。テレビジョン装置側制御部１５は、音声信号の各種処理を行う音声処理部１６と、映像信号の各種処理を行う映像処理部１７とに接続されている。音声処理部１６は、テレビジョン装置側制御部１５の制御により、Ｄ／Ａ変換処理（デジタル／アナログ変換処理）を施した上で、デジタルテレビジョン放送の番組などの音声をスピーカ部１２に出力する機能を有している。映像処理部１７は、テレビジョン装置側制御部１５の制御により、デジタルテレビジョン放送の番組などの映像を表示部１１に表示する機能を有している。
【００２２】
また、音響装置３００は、音響装置３００全体の制御を司る音響装置側制御部３１と、出力レベル測定部３２と、ＤＳＰ（Ｄｉｇｉｔａｌ  Ｓｉｇｎａｌ  Ｐｒｏｃｅｓｓｏｒ）３３と、アンプ３４と、コンデンサ３５と、メモリ３６と、挿抜スイッチ３７とを備えている。なお、音響装置側制御部３１は、本発明の「制御部」の一例であり、ＤＳＰ３３は、本発明の「音声信号出力部」の一例である。また、メモリ３６は、本発明の「記憶部」の一例であり、挿抜スイッチ３７は、本発明の「検知部」の一例である。
【００２３】
また、音響装置側制御部３１は、伝送路４０を介してテレビジョン装置側制御部１５と接続されることによって、制御信号および制御上のデータを互いに通信することが可能である。また、出力レベル測定部３２は、ヘッドホン２００の出力端の周波数帯域毎の出力レベルを測定する機能を有する。
【００２４】
ＤＳＰ３３は、音声信号のゲイン（出力電圧）を調整可能なイコライザが内蔵されている。ＤＳＰ３３は、アンプ３４、コンデンサ３５およびヘッドホンジャック３０を介してヘッドホン２００のプラグ２０に対して約２０Ｈｚ以上約２０ｋＨｚ以下の周波数帯域のうちの所望の周波数帯域毎に音声信号を出力する機能を有する。
【００２５】
ここで、本実施形態では、出力レベル測定部３２は、ＤＳＰ３３からヘッドホン２００のプラグ２０に対して基準となる約１ｋＨｚの周波数帯域（基準周波数帯域）の音声信号が出力される際に、約１ｋＨｚの周波数帯域における基準出力レベルＡ（出力電圧レベル）（図５参照）を測定するように構成されている。なお、約１ｋＨｚの周波数帯域は、本発明の「第１周波数帯域」の一例である。また、基準出力レベルＡは、本発明の「第１出力レベル」の一例である。
【００２６】
また、本実施形態では、出力レベル測定部３２は、ＤＳＰ３３からヘッドホン２００のプラグ２０に対して約１００Ｈｚの低周波数帯域における音声信号が出力される際に、約１００Ｈｚの低周波数帯域における出力レベルＢ（図５参照）を測定するように構成されている。なお、約１００Ｈｚの低周波数帯域は、本発明の「第２周波数帯域」の一例である。また、出力レベルＢは、本発明の「第２出力レベル」および「低周波数帯域出力レベル」の一例である。
【００２７】
また、本実施形態では、出力レベル測定部３２は、ＤＳＰ３３からヘッドホン２００のプラグ２０に対して約１０ｋＨｚの高周波数帯域における音声信号が出力される際に、約１０ｋＨｚの高周波数帯域における出力レベルＣ（図５参照）を測定するように構成されている。なお、約１０ｋＨｚの高周波数帯域は、本発明の「第２周波数帯域」の一例である。また、出力レベルＣは、本発明の「第２出力レベル」および「高周波数帯域出力レベル」の一例である。
【００２８】
また、アンプ３４は、ＤＳＰ３３から出力された音声信号を増幅した後に、コンデンサ３５を介してヘッドホンジャック３０に増幅した音声信号を出力する機能を有する。また、コンデンサ３５は、ＤＳＰ３３から出力された音声信号のＤＣ成分（直流成分）を除去してＡＣ成分（交流成分）を出力するために設けられている。
【００２９】
また、メモリ３６は、出力レベル測定部３２により測定された約１ｋＨｚの基準周波数帯域における基準出力レベルＡ、約１００Ｈｚの低周波数帯域における出力レベルＢおよび約１０ｋＨｚの高周波数帯域における出力レベルＣの測定データを記憶する機能を有する。
【００３０】
また、挿抜スイッチ３７は、ヘッドホン２００のプラグ２０がヘッドホンジャック３０に接続された際に、ヘッドホン２００のプラグ２０がヘッドホンジャック３０に接続されたという信号を音響装置側制御部３１に送信するように構成されている。これにより、音響装置側制御部３１によって、ヘッドホン２００のプラグ２０がヘッドホンジャック３０に接続されたか否かが検知される。
【００３１】
次に、図２〜図６を参照して、音響装置３００の制御動作について説明する。
【００３２】
図３に示すように、ステップＳ１において、ヘッドホン２００のプラグ２０（図２参照）が音響装置３００のヘッドホンジャック３０（図２参照）に接続されたか否かが判断される。ステップＳ１において、ヘッドホン２００のプラグ２０が音響装置３００のヘッドホンジャック３０に接続されていないと判断された場合には、この判断が繰り返される。ステップＳ１において、ヘッドホン２００のプラグ２０が音響装置３００のヘッドホンジャック３０に接続されたと判断された場合には、ステップＳ２に進む。
【００３３】
次に、ステップＳ２において、ＤＳＰ３３（図２参照）からヘッドホン２００のプラグ２０に約１ｋＨｚの基準周波数帯域の音声信号（基準周波数帯域信号）が出力された後に、ステップＳ３に進む。ステップＳ３において、図５に示すように、約１ｋＨｚの基準周波数帯域における基準出力レベルＡが出力レベル測定部３２により測定された後に、ステップＳ４に進む。図３に示すように、ステップＳ４において、出力レベル測定部３２により測定された基準周波数帯域における基準出力レベルＡがメモリ３６（図２参照）に記憶された後に、ステップＳ５に進む。
【００３４】
ステップＳ５において、ＤＳＰ３３からヘッドホン２００のプラグ２０に基準周波数帯域信号とは別の約１００Ｈｚの低周波数帯域の音声信号（低周波数帯域信号）が出力された後に、ステップＳ６に進む。ステップＳ６において、図５に示すように、約１００Ｈｚの低周波数帯域におけるヘッドホン２００の出力レベルＢ（低周波数帯域出力レベル）が出力レベル測定部３２により測定された後に、ステップＳ７に進む。ここで、低周波数帯域における出力レベルＢは、基準出力レベルＡよりも３ｄＢ小さい（３ｄＢ減衰している）ものとする。そして、図３に示すように、ステップＳ７において、出力レベル測定部３２により測定された低周波数帯域における出力レベルＢがメモリ３６（図２参照）に記憶された後に、ステップＳ８に進む。
【００３５】
次に、本実施形態では、ステップＳ８において、メモリ３６に記憶された出力レベルＢが基準出力レベルＡに対して±１ｄＢの範囲内であるか否かが判断（比較）される。ステップＳ８において、図５に示すように、出力レベルＢが基準出力レベルＡよりも３ｄＢ小さいので、出力レベルＢが基準出力レベルＡに対して±１ｄＢの範囲内ではない（±１ｄＢの範囲外である）と判断された後に、ステップＳ９に進む。
【００３６】
次に、本実施形態では、ステップＳ９において、ＤＳＰ３３により出力レベルＢが基準出力レベルＡに対して±１ｄＢの範囲内になるように低周波数帯域における出力レベルＢが調整される。具体的には、低周波数帯域における出力レベルＢは、基準周波数帯域における基準出力レベルＡよりも３ｄＢ小さいので、低周波数帯域における出力レベルＢが３ｄＢ分大きくなる（増幅される）ように、ＤＳＰ３３からヘッドホン２００のプラグ２０に出力される低周波数帯域における音声信号のゲイン（出力電圧）を大きくするようにイコライザが調整される。その後、ステップＳ５に戻る。
【００３７】
図３に示すように、ステップＳ５において、ＤＳＰ３３からヘッドホン２００のプラグ２０に調整後の約１００Ｈｚの低周波数帯域の音声信号が出力された後に、ステップＳ６に進む。ステップＳ６において、調整後の約１００Ｈｚの低周波数帯域における出力レベルＢが出力レベル測定部３２により再度測定された後に、ステップＳ７に進む。ステップＳ７において、出力レベル測定部３２により測定された低周波数帯域における調整後の出力レベルＢがメモリ３６（図２参照）に記憶された後に、ステップＳ８に進む。
【００３８】
次に、本実施形態では、ステップＳ８において、メモリ３６に記憶された調整後の出力レベルＢが基準出力レベルＡに対して±１ｄＢの範囲内であるか否かが再度判断（フィードバック）（比較）される。図６に示すように、調整後の出力レベルＢは、基準出力レベルＡに対して略同一であるので、調整後の出力レベルＢが基準出力レベルＡに対して±１ｄＢの範囲内であると判断された後に、図４に示すステップＳ１０に進む。
【００３９】
次に、ステップＳ１０において、ＤＳＰ３３からヘッドホン２００のプラグ２０に基準周波数帯域信号とは別の約１０ｋＨｚの高周波数帯域の音声信号（高周波数帯域信号）が出力された後に、ステップＳ１１に進む。ステップＳ１１において、図５に示すように、約１０ｋＨｚの高周波数帯域における出力レベルＣ（高周波数帯域出力レベル）が出力レベル測定部３２により測定された後に、ステップＳ１２に進む。ここで、出力レベルＣは、基準出力レベルＡよりも２ｄＢ小さい（２ｄＢ減衰している）ものとする。また、図４に示すように、ステップＳ１２において、出力レベル測定部３２により測定された高周波数帯域における出力レベルＣがメモリ３６（図２参照）に記憶された後に、ステップＳ１３に進む。
【００４０】
次に、本実施形態では、ステップＳ１３において、メモリ３６に記憶された出力レベルＣが基準出力レベルＡに対して±１ｄＢの範囲内であるか否かが判断（比較）される。ステップＳ１３において、図５に示すように、出力レベルＣは、基準出力レベルＡよりも２ｄＢ小さいので、出力レベルＣが基準出力レベルＡに対して±１ｄＢの範囲内ではない（±１ｄＢの範囲外である）と判断された後に、ステップＳ１４に進む。
【００４１】
次に、本実施形態では、ステップＳ１４において、ＤＳＰ３３により高周波数帯域における出力レベルＣが基準出力レベルＡに対して±１ｄＢの範囲内になるように調整される。具体的には、高周波数帯域における出力レベルＣは、基準周波数帯域における基準出力レベルＡよりも２ｄＢ小さいので、高周波数帯域における出力レベルＣが２ｄＢ分大きくなる（増幅される）ように、ＤＳＰ３３からヘッドホン２００のプラグ２０に出力される高周波数帯域における音声信号のゲイン（出力電圧）を大きくするようにイコライザが調整される。その後、ステップＳ１０に戻る。
【００４２】
図４に示すように、ステップＳ１０において、ＤＳＰ３３からヘッドホン２００のプラグ２０に調整後の約１０ｋＨｚの高周波数帯域の音声信号が出力された後に、ステップＳ１１に進む。ステップＳ１１において、調整後の約１０ｋＨｚの高周波数帯域における出力レベルＣが出力レベル測定部３２により再度測定された後に、ステップＳ１２に進む。ステップＳ１２において、出力レベル測定部３２により測定された高周波数帯域における調整後の出力レベルＣがメモリ３６（図２参照）に記憶された後に、ステップＳ１３に進む。
【００４３】
次に、本実施形態では、ステップＳ１３において、メモリ３６に記憶された調整後の出力レベルＣが基準出力レベルＡに対して±１ｄＢの範囲内であるか否かが再度判断（フィードバック）（比較）される。図６に示すように、調整後の出力レベルＣは、基準出力レベルＡに対して略同一であるので、調整後の出力レベルＣが基準出力レベルＡに対して±１ｄＢの範囲内であると判断された後に制御動作が終了される。
【００４４】
本実施形態では、上記のように、低周波数帯域の出力レベルＢ（高周波数帯域の出力レベルＣ）が基準周波数帯域の基準出力レベルＡに対して±１ｄＢの範囲内ではないと判断した場合に、低周波数帯域の出力レベルＢ（高周波数帯域の出力レベルＣ）が基準周波数帯域の基準出力レベルＡに対して±１ｄＢの範囲内になるように低周波数帯域の出力レベルＢ（高周波数帯域の出力レベルＣ）を調整するようにＤＳＰ３３を制御する。これにより、低周波数帯域の出力レベルＢ（高周波数帯域の出力レベルＣ）が基準周波数帯域の基準出力レベルＡに対して±１ｄＢの範囲内になるように調整されるので、たとえば、ヘッドホン２００に出力される音波をユーザが聴取可能か否かに基づいてヘッドホン２００の周波数帯域毎の出力レベル（周波数特性）が調整される場合と異なり、ヘッドホン２００の基準周波数帯域の基準出力レベルＡ、低周波数帯域の出力レベルＢおよび高周波数帯域の出力レベルＣがばらつくのを抑制することができる。
【００４５】
また、本実施形態では、上記のように、低周波数帯域の出力レベルＢ（高周波数帯域の出力レベルＣ）が基準周波数帯域の基準出力レベルＡに対して±１ｄＢの範囲内ではないと判断した場合に、出力レベルＢ（出力レベルＣ）が基準出力レベルＡに対して±１ｄＢの範囲内になるように低周波数帯域の出力レベルＢ（高周波数帯域の出力レベルＣ）を調整するようにＤＳＰ３３を制御した後に、調整後の低周波数帯域の出力レベルＢ（高周波数帯域の出力レベルＣ）が基準出力レベルＡに対して±１ｄＢの範囲内であるか否かを再度判断（フィードバック）する。これにより、調整後の出力レベルＢ（出力レベルＣ）が基準出力レベルＡに対して±１ｄＢの範囲内であるか否かを再度判断（フィードバック）する分、ヘッドホン２００の基準周波数帯域の基準出力レベルＡ、低周波数帯域の出力レベルＢおよび高周波数帯域の出力レベルＣがばらつくのをより抑制することができる。
【００４６】
また、本実施形態では、上記のように、ヘッドホン２００がヘッドホンジャック３０に接続されたことが挿抜スイッチ３７により検知された場合に、出力レベル測定部３２に基準出力レベルＡおよび出力レベルＢ（出力レベルＣ）の測定を開始することによって、ユーザによりヘッドホン２００がヘッドホンジャック３０に接続されるだけで、自動的に、基準出力レベルＡ、出力レベルＢおよび出力レベルＣの測定を開始することができる。
【００４７】
また、本実施形態では、上記のように、メモリ３６に記憶された基準出力レベルＡと出力レベルＢ（出力レベルＣ）とを比較することにより、出力レベルＢ（出力レベルＣ）が基準出力レベルＡに対して±１ｄＢの範囲内であるか否かを判断することによって、メモリ３６に記憶された基準出力レベルＡ、出力レベルＢおよび出力レベルＣに基づいて、容易に、出力レベルＢおよび出力レベルＣを基準出力レベルＡに対して±１ｄＢの範囲内になるように調整することができる。
【００４８】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４９】
たとえば、上記実施形態では、音響装置をテレビジョン装置に適用する例を示したが、本発明はこれに限られない。たとえば、音響装置をテレビジョン装置以外にＰＣ（Ｐｅｒｓｏｎａｌ  ｃｏｍｐｕｔｅｒ）などにも適用可能である。
【００５０】
また、上記実施形態では、本発明の音響装置によりヘッドホンの出力レベルが調整される例を示したが、本発明はこれに限られない。本発明では、音響装置によりヘッドホン以外にイヤホンの出力レベルを調整可能である。
【００５１】
また、上記実施形態では、基準周波数帯域を約１ｋＨｚに設定する例を示したが、本発明はこれに限られない。たとえば、基準周波数帯域を約１ｋＨｚ以外の周波数帯域に設定してもよい。
【００５２】
また、上記実施形態では、低周波数帯域を約１００Ｈｚに設定する例を示したが、本発明はこれに限られない。たとえば、基準周波数帯域よりも小さい周波数帯域であれば、約１００Ｈｚ以外の周波数帯域を低周波数帯域としてもよい。
【００５３】
また、上記実施形態では、高周波数帯域を約１０ｋＨｚに設定する例を示したが、本発明はこれに限られない。たとえば、基準周波数帯域よりも大きい周波数帯域であれば、約１０ｋＨｚ以外の周波数帯域を高周波数帯域としてもよい。
【００５４】
また、上記実施形態では、調整後の出力レベルＢおよび出力レベルＣが基準出力レベルＡに対して略同一に調整される例を示したが、本発明はこれに限られない。本発明では、出力レベルＢおよび出力レベルＣが基準出力レベルＡに対して±１ｄＢの範囲内であれば略同一でなくてもよい。たとえば、図７に示す変形例のように、調整後の出力レベルＢおよび出力レベルＣが基準出力レベルＡに対してそれぞれ−１ｄＢの範囲内に調整されることにより、約１ｋＨｚの基準周波数帯域と、約１００Ｈｚの低周波数帯域と、約１０ｋＨｚの高周波数帯域とにおける出力レベル（周波数特性）がばらつくのを抑制可能となる。
【００５５】
また、上記実施形態では、出力レベルＢおよび出力レベルＣを基準出力レベルＡに対して±１ｄＢの範囲内になるように調整する例を示したが、本発明はこれに限られない。本発明では、出力レベルＢおよび出力レベルＣの基準出力レベルＡに対する範囲を±１ｄＢ以外の範囲になるように調整してもよい。たとえば、出力レベルＢおよび出力レベルＣが基準出力レベルＡに対して±０．５ｄＢの範囲内になるように調整してもよいし、出力レベルＢおよび出力レベルＣが基準出力レベルＡに対して±１．５ｄＢの範囲内になるように調整してもよい。
【００５６】
また、上記実施形態では、低周波数帯域および高周波数帯域の２つの周波数帯域の出力レベルを基準周波数帯域に対して調整する例を示したが、本発明はこれに限られない。たとえば、１つの周波数帯域のみの出力レベルを基準周波数帯域の出力レベルに対して調整してもよいし、３つ以上の周波数帯域の出力レベルを基準周波数帯域の出力レベルに対して調整してもよい。
【００５７】
また、上記実施形態では、ヘッドホンのプラグがヘッドホンジャックに接続されたことを検知して出力レベルの調整が開始される例を示したが、本発明はこれに限られない。たとえば、ヘッドホンのプラグがヘッドホンジャックに接続された状態において、ユーザがメニュー画面などを操作して出力レベルの調整を開始させてもよい。
【符号の説明】
【００５８】
３１  音響装置側制御部（制御部）
３２  出力レベル測定部
３３  ＤＳＰ（音声信号出力部）
３６  メモリ（記憶部）
３７  挿抜スイッチ（検知部）
１００  テレビジョン装置
２００  ヘッドホン
３００  音響装置
【図１】
2012186745.tif 000003
【図２】
2012186745.tif 000004
【図３】
2012186745.tif 000005
【図４】
2012186745.tif 000006
【図５】
2012186745.tif 000007
【図６】
2012186745.tif 000008
【図７】
2012186745.tif 000009